(57)【要約】【課題】各種電子機器に用いられるタッチパネルに関し、良好な視認性が得られ、確実な操作が可能なものを提供することを目的とする。【解決手段】上基板１や下基板４の上面に設けられた接着層を、所定の色素顔料を分散した反射低減接着層１３や１６で形成することによって、反射低減接着層１３や１６が所定色の光を吸収し、上方から入射した太陽光や電灯等の外部光の反射を低減できるため、タッチパネル背面の表示素子の表示が見易く、容易で確実な操作が可能なタッチパネルを得ることができる。【選択図】図１
2013012020.tif 000002
【特許請求の範囲】
【請求項１】
上面に所定方向に配列された略帯状で複数の上導電層が形成された上基板と、上面に上記上導電層と直交方向に配列された略帯状で複数の下導電層が形成された下基板と、上記上基板と下基板の上面に設けられた接着層からなり、上記接着層の少なくとも一方を、所定の色素顔料を分散した反射低減接着層で形成したタッチパネル。
【請求項２】
上面に所定方向に配列された略帯状で複数の上導電層が形成された上基板と、上面に上記上導電層と直交方向に配列された略帯状で複数の下導電層が形成された下基板と、上記上基板の上面に配設された透光板からなり、上記透光板上面または下面に設けられた接着層を、所定の色素顔料を分散した反射低減接着層で形成したタッチパネル。
【発明の詳細な説明】
【技術分野】
【０００１】
本発明は、主に各種電子機器の操作に用いられるタッチパネルに関するものである。
【背景技術】
【０００２】
近年、携帯電話や電子カメラ等の各種電子機器の高機能化や多様化が進むなか、液晶表示素子等の表示素子の前面に光透過性のタッチパネルを装着し、このタッチパネルを通して背面の表示素子の表示を見ながら、指等でタッチパネルに触れ操作することによって、機器の様々な機能の切換えを行うものが増えており、使い易く確実な操作を行えるものが求められている。
【０００３】
このような従来のタッチパネルについて、図５及び図６を用いて説明する。
【０００４】
なお、これらの図面は構成を判り易くするために、部分的に寸法を拡大して表している。
【０００５】
図５は従来のタッチパネルの断面図、図６は同分解斜視図であり、同図において、１はフィルム状で光透過性の上基板で、上面には酸化インジウム錫等の光透過性で略帯状の、複数の上導電層２が前後方向に配列形成されると共に、一端が上導電層２端部に連結され他端が上基板１の外周右端に延出する銅や銀等の複数の上電極３が、上導電層２とは直交方向の左右方向に延出形成されている。
【０００６】
また、４は同じくフィルム状で光透過性の下基板で、上面には酸化インジウム錫等の光透過性で略帯状の複数の下導電層５が、上導電層２とは直交方向の左右方向に配列形成されると共に、一端が下導電層５端部に連結され他端が下基板４の外周右端に延出する上電極３と同様の複数の下電極６が、下導電層５と平行方向の左右方向に延出形成されている。
【０００７】
さらに、７はフィルム状で光透過性のカバー基板で、下基板４上面に上基板１、上基板１上面にカバー基板７が重ねられると共に、これらが各々接着層８によって貼り合わされて、タッチパネルが構成されている。
【０００８】
そして、このように構成されたタッチパネルが、液晶表示素子等の表示素子の前面に配置されて電子機器に装着されると共に、外周右端に延出した複数の上電極３や下電極６が、フレキシブル配線板やコネクタ（図示せず）等を介して、機器の電子回路（図示せず）に電気的に接続される。
【０００９】
以上の構成において、電子回路から複数の上電極３と下電極６へ順次電圧が印加された状態で、タッチパネル背面の表示素子の表示に応じて、カバー基板７上面を指等で触れて操作すると、この操作した箇所の上導電層２と下導電層５の間の静電容量が変化するため、これによって操作された箇所を電子回路が検出し、機器の様々な機能の切換えが行われる。
【００１０】
つまり、例えば複数のメニュー等が背面の表示素子に表示された状態で、所望のメニュー上のカバー基板７上面に指等を触れると、この指に電荷の一部が導電して、操作した箇所のタッチパネルの上導電層２と下導電層５の間の容量が変化し、これを電子回路が検出することによって、所望のメニューの選択等が行われるように構成されているものであった。
【００１１】
なお、この出願の発明に関連する先行技術文献情報としては、例えば、特許文献１が知られている。
【先行技術文献】
【特許文献】
【００１２】
【特許文献１】特開２００９−９３３９７号公報
【発明の概要】
【発明が解決しようとする課題】
【００１３】
しかしながら、上記従来のタッチパネルにおいては、上基板１や下基板４上面に、互いに直交方向に形成された略帯状の複数の上導電層２や下導電層５、接着層８が形成されているが、これらの屈折率は上導電層２や下導電層５が２前後の屈折率に対し、上基板１や下基板４が１．４〜１．７、接着層８が１．４〜１．５と各々屈折率が異なるため、図５に示すように、上方から入射した太陽光や電灯等の外部光の反射が、例えば上基板１上面と、上導電層２上面での反射光とでは異なるものとなる。
【００１４】
このため、略帯状の複数の上導電層２や下導電層５の輪郭が、うっすらとではあるが見えてしまい、これによってタッチパネル背面の表示素子の表示が、見づらいものとなってしまう場合があるという課題があった。
【００１５】
本発明は、このような従来の課題を解決するものであり、良好な視認性が得られ、確実な操作が可能なタッチパネルを提供することを目的とする。
【課題を解決するための手段】
【００１６】
上記目的を達成するために本発明は、上基板と下基板の上面、あるいは透光板上面または下面に設けられた接着層を、所定の色素顔料を分散した反射低減接着層で形成してタッチパネルを構成したものであり、反射低減接着層が所定色の光を吸収し、上方から入射した太陽光や電灯等の外部光の反射を低減できるため、タッチパネル背面の表示素子の表示が見易く、容易で確実な操作が可能なタッチパネルを得ることができるという作用を有するものである。
【発明の効果】
【００１７】
以上のように本発明によれば、良好な視認性が得られ、確実な操作が可能なタッチパネルを実現することができるという有利な効果が得られる。
【図面の簡単な説明】
【００１８】
【図１】本発明の第１の実施の形態によるタッチパネルの断面図
【図２】同分解斜視図
【図３】本発明の第２の実施の形態によるタッチパネルの断面図
【図４】同他の実施の形態による断面図
【図５】従来のタッチパネルの断面図
【図６】同分解斜視図
【発明を実施するための形態】
【００１９】
以下、本発明の実施の形態について、図１〜図４を用いて説明する。
【００２０】
なお、これらの図面は構成を判り易くするために、部分的に寸法を拡大して表している。
【００２１】
また、背景技術の項で説明した構成と同一構成の部分には同一符号を付して、詳細な説明を簡略化する。
【００２２】
（実施の形態１）
実施の形態１を用いて、本発明の特に請求項１記載の発明について説明する。
【００２３】
図１は本発明の第１の実施の形態によるタッチパネルの断面図、図２は同分解斜視図であり、同図において、１はポリエチレンテレフタレートやポリエーテルサルホン、ポリカーボネート等のフィルム状で光透過性の上基板で、上面には酸化珪素や酸化チタン、酸化ジルコニウム等の無機酸化物の、光透過性で単層または複数層に形成された反射変換層１２が設けられている。
【００２４】
そして、この反射変換層１２上面には、酸化インジウム錫や酸化錫等の光透過性で略帯状の複数の上導電層２が、スパッタ法等によって前後方向に配列形成されると共に、一端が上導電層２端部に連結され他端が上基板１の外周右端に延出する、酸化インジウム錫等の上に蒸着等によって銅や銀等が重ねられた複数の上電極３が、上導電層２とは直交方向の左右方向に延出形成されている。
【００２５】
さらに、上基板１上面には、アクリルやゴム等にキノフタロン系やアゾ系、キノン系、キサンテン系、フタロシアニン系、トリフェニルメタン系、ポリメチン系、アズレニウム系、スクアリウム系、金属錯体等の所定の色素顔料を分散した反射低減接着層１３が、印刷や塗布等によって形成されている。
【００２６】
また、４は上基板１と同様のフィルム状で光透過性の下基板で、上面には反射変換層１２と同様の反射変換層１５が設けられると共に、この反射変換層１５上面には、酸化インジウム錫や酸化錫等の光透過性で略帯状の複数の下導電層５が、上導電層２とは直交方向の左右方向に配列形成されている。
【００２７】
そして、一端が下導電層５端部に連結され他端が下基板４の外周右端に延出する上電極３と同様の複数の下電極６が、下導電層５と平行方向の左右方向に延出形成されると共に、下基板４上面には反射低減接着層１３と同様の、反射低減接着層１６が形成されている。
【００２８】
なお、複数の上導電層２と下導電層５は、複数の方形部が帯状に連結されて形成されると共に、これらの間には、略方形の複数の空隙部が設けられ、上基板１と下基板４が積重された状態では、各々の方形部が各々の空隙部に上下で交互に重なるように形成されている。
【００２９】
さらに、７はフィルム状で光透過性のカバー基板で、下基板４上面に上基板１、上基板１上面にカバー基板７が重ねられると共に、これらが反射低減接着層１３や１６によって貼り合わされて、タッチパネルが構成されている。
【００３０】
そして、このように構成されたタッチパネルが、液晶表示素子等の表示素子の前面に配置されて電子機器に装着されると共に、外周右端に延出した複数の上電極３や下電極６が、フレキシブル配線板やコネクタ（図示せず）等を介して、機器の電子回路（図示せず）に電気的に接続される。
【００３１】
以上の構成において、電子回路から複数の上電極３と下電極６へ順次電圧が印加された状態で、タッチパネル背面の表示素子の表示に応じて、カバー基板７上面を指等で触れて操作すると、この操作した箇所の上導電層２と下導電層５の間の静電容量が変化するため、これによって操作された箇所を電子回路が検出し、機器の様々な機能の切換えが行われる。
【００３２】
つまり、例えば複数のメニュー等が背面の表示素子に表示された状態で、所望のメニュー上のカバー基板７上面に指等を触れると、この指に電荷の一部が導電して、操作した箇所のタッチパネルの上導電層２と下導電層５の間の容量が変化し、これを電子回路が検出することによって、所望のメニューの選択等が行われるように構成されている。
【００３３】
そして、この時、上基板１や下基板４上面に形成された反射変換層１２や１５、反射低減接着層１３や１６によって、上方から入射した太陽光や電灯等の外部光の反射が低減されると共に、略帯状の複数の上導電層２や下導電層５の輪郭が見えることを防ぎ、タッチパネル背面の表示素子の表示が見易く、容易で確実な操作が行えるようになっている。
【００３４】
すなわち、先ず、上基板１や下基板４上面に設けられた、所定の色素顔料を分散した反射低減接着層１３や１６によって、これらに分散された所定の色素顔料が、上方から入射した太陽光や電灯等の外部光の所定色の光を吸収して、上基板１や下基板４上面、上導電層２や下導電層５上面での外部光の反射を低減できるように構成されている。
【００３５】
また、上基板１や下基板４上面に設けられた単層または複数層の、反射変換層１２や１５の屈折率を１．４〜２に形成し、上導電層２や下導電層５の屈折率を２前後に近似したものとすることによって、図１に示すように、例えば反射変換層１２上面と、上導電層２上面での反射光の差を少なくし、略帯状の複数の上導電層２や下導電層５の輪郭が見えることを防ぐようになっている。
【００３６】
ただ、このような酸化インジウム錫等の上導電層２や下導電層５、無機酸化物の反射変換層１２や１５は、一般に厚さが数十〜数百ｎｍ前後の薄膜状に形成されているため、上記のように反射光の差は少なくできるが、反射光が所定の色調、例えば赤色等を帯びた反射光になり易く、これによってタッチパネル背面の視認性が阻害されてしまう場合がある。
【００３７】
しかし、本発明においては、上基板１や下基板４上面には反射低減接着層１３や１６が設けられているため、この所定の色調を帯びた反射光も、反射低減接着層１３や１６内に分散された所定の色素顔料によって吸収され、上記のような所定の色調の反射光による、タッチパネル背面の表示素子の表示の見えづらさを防止できるようになっている。
【００３８】
また、反射低減接着層１３や１６内に分散する色素顔料としては、上述したように様々なものがあるが、上方から入射する外部光や、上導電層２や下導電層５上面、反射変換層１２や１５上面での反射に合わせ、所定の光の波長に応じて、これらの選定を行うことができる。
【００３９】
つまり、波長が４００ｎｍ付近の青色光を吸収する場合には、キノフタロン系やアゾ系、キノン系、金属錯体等の黄色の色素顔料、波長が６３０〜６４０ｎｍ付近の黄色光を吸収する場合には、キサンテン系やフタロシアニン系、トリフェニルメタン系、アゾ系、キノン系、ポリメチン系、金属錯体等の青色の色素顔料、波長が７１０〜７５０ｎｍ付近の赤色光を吸収する場合には、フタロシアニン系やアズレニウム系、トリフェニルメタン系、キノン系、ポリメチン系、スクアリウム系、金属錯体等の緑色の色素顔料を分散することで、外部光の反射を低減し、タッチパネル背面の表示素子の表示を見易いものとすることが可能となる。
【００４０】
なお、反射低減接着層１３や１６によって、上記の波長が４００ｎｍ付近、６３０〜６４０ｎｍ付近、７１０〜７５０ｎｍ付近では透過率が５〜２０％前後低下するが、波長が３８０〜７８０ｎｍの可視光全体としては、８５〜９０％前後の透過率を得ることができるようになっている。
【００４１】
また、以上の説明では、上基板１と下基板４の両方の上面に反射低減接着層１３と１６を形成した構成について説明したが、いずれか一方、例えば上基板１の上面のみに反射低減接着層１３を設けた構成としても、本発明の実施は可能である。
【００４２】
このように本実施の形態によれば、上基板１や下基板４の上面に設けられた接着層を、所定の色素顔料を分散した反射低減接着層１３や１６で形成することによって、反射低減接着層１３や１６が所定色の光を吸収し、上方から入射した太陽光や電灯等の外部光の反射を低減できるため、タッチパネル背面の表示素子の表示が見易く、容易で確実な操作が可能なタッチパネルを得ることができるものである。
【００４３】
（実施の形態２）
実施の形態２を用いて、本発明の特に請求項２記載の発明について説明する。
【００４４】
なお、実施の形態１の構成と同一構成の部分には同一符号を付して、詳細な説明を省略する。
【００４５】
図３は本発明の第２の実施の形態によるタッチパネルの断面図であり、同図において、上基板１上面に無機酸化物の反射変換層１２が形成されると共に、この反射変換層１２上面に酸化インジウム錫等の光透過性で略帯状の複数の上導電層２や、酸化インジウム錫等の上に銅や銀等が重ねられた複数の上電極３（図示せず）が延出形成されていることは、実施の形態１の場合と同様である。
【００４６】
そして、下基板４上面には同じく反射変換層１５が形成され、この上面に下導電層５が上導電層２とは直交方向に配列形成されていることや、上電極３と同様の複数の下電極６（図示せず）が延出形成されていることも、実施の形態１の場合と同様であるが、上基板１や下基板４上面には、アクリルやゴム等の接着層１８が設けられている。
【００４７】
また、１９はガラスやアクリル等の板状、またはポリカーボネート等のフィルム状で光透過性の透光板で、この上面には、アクリルやゴム等にキノフタロン系やアゾ系、キノン系、キサンテン系、フタロシアニン系、トリフェニルメタン系、ポリメチン系、アズレニウム系、スクアリウム系、金属錯体等の所定の色素顔料を分散した反射低減接着層２０が、印刷や塗布等によって形成されている。
【００４８】
さらに、２１はポリエチレンテレフタレートやポリカーボネート等のフィルム状で光透過性のカバーシートで、下基板４上面に上基板１、上基板１上面に透光板１９、透光板１９上面にカバーシート２１が重ねられると共に、これらが接着層１８や反射低減接着層２０によって貼り合わされて、タッチパネルが構成されている。
【００４９】
なお、このように構成されたタッチパネルが、液晶表示素子等の表示素子の前面に配置されて電子機器に装着され、複数の上電極３や下電極６が、機器の電子回路（図示せず）に電気的に接続されることは、実施の形態１の場合と同様である。
【００５０】
また、以上の構成において、タッチパネル背面の表示素子に複数のメニュー等が表示された状態で、所望のメニュー上のカバーシート２１上面を指等で触れて操作すると、この指に電荷の一部が導電して、操作した箇所のタッチパネルの上導電層２と下導電層５の間の容量が変化し、これを電子回路が検出して、所望のメニューの選択等の機器の様々な機能の切換えが行われることも、実施の形態１の場合と同様である。
【００５１】
さらに、この時、上基板１や下基板４上面に設けられた単層または複数層の、反射変換層１２や１５によって、図３に示すように、例えば反射変換層１２上面と、上導電層２上面での反射光の差を少なくし、略帯状の複数の上導電層２や下導電層５の輪郭が見えることを防ぐように形成されていることも、実施の形態１の場合と同様であるが、同時に、透光板１９上面に形成された反射低減接着層２０によって、外部光や反射変換層１２や１５の所定の色調を帯びた反射光を低減できるようになっている。
【００５２】
つまり、本実施の形態においては、透光板１９上面に設けられた所定の色素顔料を分散した反射低減接着層２０によって、上方から入射した太陽光や電灯等の外部光の所定色の光を、反射低減接着層２０に分散された所定の色素顔料が吸収して、上導電層２や下導電層５上面等での外部光の反射を低減すると共に、反射変換層１２や１５からの所定の色調を帯びた反射光も反射低減接着層２０が吸収することで、タッチパネル背面の表示素子の表示が見易く、容易で確実な操作が行えるように構成されている。
【００５３】
なお、以上の説明では、透光板１９上面に反射低減接着層２０を形成した構成について説明したが、図４の断面図に示すように、透光板１９下面に反射低減接着層２０を設け、カバーシート２１を介して上基板１に貼付した構成としても、本発明の実施は可能である。
【００５４】
また、以上の説明では、複数の上電極３や下電極６を、酸化インジウム錫等の上にスパッタ法や蒸着等によって、銅や銀等を重ねて形成した構成として説明したが、銀やカーボン等を印刷して、上電極３や下電極６を形成した構成としてもよい。
【００５５】
このように本実施の形態によれば、上基板１の上面に配設された透光板１９の上面または下面に設けられた接着層を、所定の色素顔料を分散した反射低減接着層２０で形成することによって、反射低減接着層２０が所定色の光を吸収し、上方から入射した太陽光や電灯等の外部光の反射を低減できるため、タッチパネル背面の表示素子の表示が見易く、容易で確実な操作が可能なタッチパネルを得ることができるものである。
【産業上の利用可能性】
【００５６】
本発明によるタッチパネルは、良好な視認性が得られ、確実な操作が可能なものを得ることができるという有利な効果を有し、主に各種電子機器の操作用として有用である。
【符号の説明】
【００５７】
１  上基板
２  上導電層
３  上電極
４  下基板
５  下導電層
６  下電極
７  カバー基板
１２、１５  反射変換層
１３、１６、２０  反射低減接着層
１８  接着層
１９  透光板
２１  カバーシート
【図１】
2013012020.tif 000003
【図２】
2013012020.tif 000004
【図３】
2013012020.tif 000005
【図４】
2013012020.tif 000006
【図５】
2013012020.tif 000007
【図６】
2013012020.tif 000008